(57)【特許請求の範囲】
【請求項１】
内周側のリードイン・エリア及び外周側にリードアウト・エリアが配置され、その間にデータの書換可能なデータ記録エリアを有する情報エアリアを有する光ディスクであって、
前記リードイン・エリアは、書換できないデータが記録されているエンボス・ゾーン、書換可能なデータ領域としての書換可能ゾーン及びその両者間のミラー領域を有し、また、前記リードアウト・エリアは、書換可能なデータ領域としての書換可能ゾーンを有し、
前記リードイン・エリア及び前記リードアウト・エリアの書換可能ゾーンは、ディスクを識別する識別情報としてデータ記録エリアのデータを書換ることができない旨の書換不可、或いは、データ記録エリアのデータを書換ることができる旨の書換可能を示す識別子をユーザが記録することができるディスク識別子領域が設けられている光ディスクと、
この光ディスクが収納されるディスク・カートリッジであって、
このディスク・カートリッジの挿脱を許す蓋部材と、
その内に収納された光ディスクのデータ記録エリアのデータが書換不可、或いは、書換可能を識別する識別機構を備えているディスク・カートリッジと、
を具備することを特徴とする光ディスク・ユニット。
【請求項２】
前記書換可能ゾーンは、前記ディスク識別子領域に続いてデータ記録エリアの欠陥情報を管理する欠陥管理領域を有することを特徴とする請求項１の光ディスク・ユニット。
【請求項３】
請求項１の光ディスクが装填される装置であって、
ディスク・カートリッジの識別機構の状態を検出するライトプロテクト検出手段と、
前記光ディスクのデータ記録エリアからのデータ読み出し、前記データ記録エリアへのデータ書き込みを行なう手段と、
前記ディスク識別子領域に書換不可及び書換可能の識別子のいずれかを書き込む手段と、
前記ディスク識別子領域から書換不可能の識別子を検出した際に前記データ記録エリアへのデータの書き込みを禁止する手段と、
を具備することを特徴とするディスク装置。
【発明の詳細な説明】
【０００１】
【発明の属する技術分野】
この発明は、データの書換可能な光ディスクに係り、特に、光ディスクが書換可能なタイプであるが、その光ディスクへのデータへの記録禁止する識別コード・データを記録することができる領域が用意されている書換可能な光ディスクに関する。
【０００２】
【従来の技術】
近年、ＣＤ−ＲＯＭフォーマットの多様化及びＤＶＤの登場により、光ディスクとして種々のタイプが出現し、また、将来、種々のタイプのディスクが開発され、登場する可能性がある。例えば、通常のＣＤでは、音楽用等のＣＤがあり、ＣＤ−ＲＯＭフォーマットでは、読取専用のＣＤ−ＲＯＭ、書き込み可能なＣＤＲ、異なる波長でも読取能なＣＤＲ２、消去可能なＣＤ−Ｅ等がある。また、ＤＶＤでは、１層ディスク、２層ディスク、書き込み可能なＤＶＤ−Ｒ、書き込み及び読取のいずれも可能なＤＶＤ−Ｒがある。これらのＤＶＤディスク装置では、書き込み可能な光ディスクに対してはデータの記録が可能であるとともに様々な光ディスクからデータの再生が可能であることが要請されている。
【０００３】
書き込み可能な光ディスクに対して書き込みが可能であるとともに様々な光ディスク、ＤＶＤディスクのみならず、ＣＤであってもそのデータの再生が可能なディスク装置に関しては、種々の提案があり、その開発が進められている。
【０００４】
このような背景にあって、ディスク装置に装填された光ディスクが書換可能な光ディスクであることが判明しても、更にデータが書き込み可能であるか否かが重要とされる。データが書き込み可能であることが判明しない場合には、書換可能な光ディスクに消去不可のデータが記録されていても、そのデータが消去不可であることが判明しないままデータが記録される虞がある。
【０００５】
従来の書換可能なＣＤ、即ち、ＣＤーＥにあっては、ケースに収納され、そのケースに書き換え不可のスライド・ボタンが設けられ、スライド・ボタンをスライドすることによって書換可能或いは不可が設定される。例えば、そのケースのボタンが書換不可の位置に移動された場合には、そのケースに光透過穴が設けられた状態となり、その穴があることを判別することによって書換不可であることが判明する。
【０００６】
【発明が解決しようとする課題】
このようなタイプでは、常にケースと一体となって、その書換可能なＣＤが書換可能か或いは不可かが判明し、ケースと別体となった際には、そのディスクが書換可能か或いは不可かが判明しない問題がある。ユーザーにとっては、光ディスクをケースから取り出して再生専用の再生装置で再生するこができることが好ましい。特に、再生専用のＤＶＤ光ディスクであるＤＶＤーＲＯＭ或いはＤＶＤ−ＶＩＤＥＯ用の再生装置では、そのＤＶＤーＲＯＭ或いはＤＶＤ−ＶＩＤＥＯディスクがケースに収納されず、そのままで装填され、再生される。このような再生専用の再生装置で書換可能なＤＶＤディスクを再生する要望が当然にあり、ＤＶＤディスクをケースから取り出す場合がある。また、取り出した状態で記録用のＤＶＤ装置で再生を要望する場合があり、その際に誤って書き込み動作をする虞もある。また、ユーザが書換可能なＤＶＤディスクをケースから取り出した後に、再び、そのディスクのデータを消去して再びデータを書き込みたい要望もある。
【０００７】
【課題を解決するための手段】
この発明は、カートリッジに設けられた、プロテクト操作部５０、リードイン・エリアの書き換え可能領域の識別情報（プロテクト情報）の２系統を備えるようにし、いずれか一方の系統のみにしか判別できない装置であっても対応できるように工夫するものである。
【００１１】
【発明の実施の形態】
以下、図面を参照してこの発明の一実施の形態を示す光ディスクを説明する。
以下、図面を参照して、この発明の一実施の形態に係るデジタル情報記録再生システムを説明する。
【００１２】
この発明に係るデジタル情報記録再生システムの代表的な一実施の形態として、コンピュータ・データ、或いは、ＭＰＥＧ２に基づきエンコードされた動画を可変ビットレートで記録し、再生する装置（以下、単にＤＶＤディスク装置と称する。）がある。
【００１３】
図１は、上記単にＤＶＤディスク装置に使用される記録可能な光ディスク（ＤＶＤーＲＡＭディスク）１０の構造を説明する斜視図である。
図１に示すように、この光ディスク１０は、それぞれ記録層１６が設けられた一対の透明基板１４を接着層２０で貼り合わせた構造を持つ。各基板１４は０．６ｍｍ厚のポリカーボネートで構成することができ、接着層２０は極薄（例えば、４０μｍ厚）の紫外線硬化性樹脂で構成することができる。これら一対の０．６ｍｍ基板１４を、記録層１６が接着層２０の面上で接触するようにして貼り合わすことにより、１．２ｍｍ厚の大容量光ディスク１０が得られる。
【００１４】
光ディスク１０には中心孔２２が設けられ、ディスク両面の中心孔２２の周囲には、この光ディスク１０を回転駆動時にクランプするためのクランプエリア２４が設けられている。中心孔２２には、図示しないディスクドライブ装置に光ディスク１０が装填された際に、ディスクモータのスピンドルが挿入される。そして、光ディスク１０は、そのクランプエリア２４において、図示しないディスククランパにより、ディスク回転中クランプされる。
【００１５】
光ディスク１０は、クランプエリア２４の周囲に、コンピュータ・データ、ビデオデータ、オーディオデータその他の情報を記録することができる情報エリア２５を有している。情報エリア２５のうち、その外周側にはリードアウト・エリア２６が設けられている。また、クランプエリア２４に接する内周側にはリードイン・エリア２７が設けられている。そして、リードアウト・エリア２６とリードイン・エリア２７との間にデータ記録エリア２８が定められている。
【００１６】
情報エリア２５の記録層（光反射層）１６、例えば、相変化記録層には、記録トラックがたとえばスパイラル状に連続して形成されている。その連続トラックは複数の物理セクタに分割され、これらのセクタには連続番号が付されている。このセクタを記録単位として、光ディスク１０に種々なデータが記録される。
【００１７】
データ記録エリア２８は、実際のデータ記録領域であって、記録・再生情報として、コンピュータ・データ、映画等のビデオデータ（主映像データ）、字幕・メニュー等の副映像データおよび台詞・効果音等のオーディオデータが、同様なピット列（レーザ反射光に光学的な変化をもたらす物理的な形状あるいは相状態）として記録されている。
【００１８】
このようなＤＶＤ−Ｒディスクへのデータ書き込みは、たとえば波長６５０ｎｍで出力６〜１２ｍＷ程度の半導体レーザを用いて行うことができる。
上記各種の光ディスク１０において、読み書き用の記録層１６を持つ基板１４には、トラッキング・ガイドとして連続のグルーブ溝がスパイラル状に刻まれている。このグルーブ溝間にはランド部分が設けられるが、読み書き用ＤＶＤーＲＡＭディスクにあっては、グルーブ溝内並びにランド部分に相変化記録層が設けられる構造を有し、グルーブ内の相変化記録層のみでなくランド部分の相変化記録層も情報記録に利用される。
【００１９】
後述するＤＶＤディスク装置は、ＤＶＤーＲＡＭディスクに対する反復記録・反復再生（読み書き）及びＤＶＤーＲＯＭディスクに対する反復再生が可能なように構成される。
【００２０】
図２は、図１の光ディスク（ＤＶＤーＲＡＭ）１０のデータ記録エリア２８とそこに記録されるデータの記録トラックとの対応関係を説明する図である。
ディスク１０がＤＶＤ−ＲＡＭの場合は、デリケートなディスク面を保護するために、即ち、ゴミ或いは油脂等がその表面に付着することを防ぐ為に、ディスク１０の本体が後述するカートリッジ１１に収納される。ＤＶＤ−ＲＡＭディスク１０がカートリッジ１１ごと後述するＤＶＤビデオレコーダのディスクドライブに挿入されると、カートリッジ１１からディスク１０が引き出されて図示しないスピンドルモータのターンテーブルにクランプされ、図示しない光ヘッドに向き合うようにして回転駆動される。
【００２１】
図１に示した情報エリア２５の記録層１６には、データ記録トラックがスパイラル状に連続して形成されている。その連続するトラックは、図２に示すように一定記憶容量の複数論理セクタ（最小記録単位）に分割され、この論理セクタを基準にデータが記録されている。１つの論理セクタの記録容量は、１パックデータ長と同じ２０４８バイトに定められている。
【００２２】
データ記録エリア２８には、実際のデータ記録領域であって、管理データ、コンピュータ・データ或いはビデオ・データ、副映像データおよびオーディオ・データが同様に記録されている。
【００２３】
図３に示すように、光ディスク（ＤＶＤーＲＡＭ）１０がディスクカートリッジ１１に収納されたディスク・ユニットとして取り扱い可能である。このディスクカートリッジ１１は、偏平な矩形状のケース１２を備え、このケース１２は、ほぼ同一構造を有する一対のハーフケース１３ａ、１３ｂを接合することにより形成されている。
【００２４】
光ディスク１０の表面と対向しているケース１２の上壁および下壁、つまり、ハーフケース１３ａ、１３ｂの主壁１１ａ、１１ｂには、光ディスク１４へアクセスするための窓部１７がそれぞれ形成され、互いに対向している。各窓部１７は、それぞれケース１２のほぼ中央から、ディスクカートリッジ１１の挿入方向Ａに向かって、ケース１２の前端面１２ａ近傍まで延びている。
【００２５】
ケース１２には、窓部３６を開閉する両面一体型のシャッタ３２が摺動自在に取り付けられ、このシャッタ３２が開かれることによって窓部１７を介して光ディスク１４の両面の一部が露出される。シャッタ２２は、それぞれ窓部１７を開閉する一対の矩形状の遮蔽板２２ａと、これら遮蔽板の前端同志を連結しているとともにケース前端面１２ａと対向した連結板２２ｂと、を有し、断面Ｕ字形状に形成されている。そして、シャッタ２２は、ケース１２の前端面１２ａ側からケース１２の両表面側を挟むようにして取り付けられている。
【００２６】
シャッタ２２は、図４に示すように、窓部１７を閉塞する閉塞位置と、図３に実線および２点鎖線でそれぞれ示すように、閉塞位置の両側に位置しそれぞれ窓部１７を開放する２つの開放位置と、の間をケース１２の前端面１２ａと平行な方向Ｇに沿って摺動可能となっている。シャッタ２２は、ケース１２内で窓部１７の両側に配設された図示しない２つのシャッタばねにより常時閉塞位置に向かって付勢されている。
【００２７】
ハーフケース１３ａ、１３ｂの表面の内、シャッタ２２の遮蔽板２２ａが摺動する領域は、浅い矩形状の凹所３５として形成され、窓部１７もこの凹所内に形成されている。また、ハーフケース１３ａ、１３ｂは、凹所３５の後端中央部から窓部１７の近傍まで突出した抜け止め用の突部３７を有し、この突部３７は、遮蔽板３２ａの自由端部と係合して遮蔽板を凹所１５内に保持している。
【００２８】
ケース１２の後端面は開口し、ケースに対して光ディスク１０を出入れするためのディスク出し入れ口３０が形成され、ケース後端面の全長に亘って延びている。また、ケース１２には、このディスク出し入れ口３０を開閉するための蓋部材３４が回動自在に取付けられている。蓋部材３４は、閉塞位置においてケース１２の後壁１２ｅを構成している。そして、蓋部材３４を開放位置へ回動させることにより、ディスク出し入れ口３０を通して、光ディスク１０をケース１２から取出し、およびケース１２内へ装填することができる。
【００２９】
図１に示すように、ケース１２の一方の側壁１２ｃの前半部にはガイドスロット７が形成され、カートリッジの挿入方向Ａに沿ってケース前端面１２ａまで伸びている。図示しないＤＶＤディスク・ドライブ装置へディスクカートリッジを装填する際、ガイドスロット７が光ディスクドライブ側に設けられたガイドピンと係合し、光ディスクカートリッジの装填をガイドする。
【００３０】
各ハーフケース１３ａ、１３ｂの主壁１１ａ、１１ｂの後端部中央、および蓋部材２４からなる後端面１２ｅ中央部には、ラベル貼付部６が連続して形成されている。また、蓋部材２４において、ラベル貼付部６の両側には、一対の矩形状の凹所３３が形成されている。これらの凹所３３は、ディスクカートリッジ１１を垂直に立てて使用する際、光ディスクドライブ側の突起とそれぞれ係合する。ケース１２の両側壁１２ｂ、１２ｃの後端部には、光ディスクドライブ側の把持機構を引っ掛けるための把持スロット３６がそれぞれ形成されているとともに、両側壁１２ｂ、１２ｃの前端部には、光ディスクドライブ側のローディング機構を引っ掛けるための凹所３９がそれぞれ形成されている。
【００３１】
図３および図４に示すように、主壁１１ａの内、ディスク出し入れ口２０側の他方の角部、つまり、ディスクカートリッジ１１の挿入方向Ａに向かって左側の角部には、後述するライトプロテクト操作部を操作するための細長い操作孔８、および蓋部材３４の開閉を検知するための円形の開口９が形成されている。
【００３２】
主壁１１ａを上に向けた状態でディスクカートリッジ１０を図示しない光ディスクドライブへ装填した際、光ディスクドライブ側に設けられた凸部がアライメントホール５ａおよびロケーションホール５ｂに挿通され、光ディスクカートリッジが光ディスクドライブに対して位置決めされる。
【００３３】
図４に示すように、蓋部材２４は、ケース１２の幅とほぼ等しい長さおよびケース１２内へ挿入可能な厚さを有する細長い偏平な板状に形成された蓋本体３８と、蓋本体の一側縁に形成されケースの全幅に亘って延びるフランジ４０と、を有している。蓋部材３４は、その長手方向一端が、枢軸（図示せず）を介して、ケース１２の後端右角部に回動自在に支持されている。それにより、蓋部材２４は、枢軸の回りで、閉塞位置と開放位置との間を回動し、ディスク出し入れ口２０を開閉可能となっている。
【００３４】
蓋部材３４の自由端部、つまり、枢軸と反対側の端部には、弾性変形可能なロック爪４６が設けられ、また、ケース１２の左壁１２ｃ後端部には、ロック爪４６が係合可能な係止孔４７が形成されている。それにより、蓋部材３４がディスク出し入れ口２０を閉塞する位置に回動すると、ロック爪４６が係止孔４７に係合して蓋部材３４を閉塞位置にロックする。なお、ケース１２の外面側から係止孔を介してロック爪４６を押し込むことにより、ロックが解除され、蓋部材３４を開放することが可能となる。
【００３５】
蓋部材３４の蓋本体３８には、ライトプロテクト操作部５０が弾性変形自在に一体成形されている。ライトプロテクト操作部５０は、蓋本体３８の幅方向のほぼ中央部からロック爪４６側の端部に向かって延出したアーム５０ａと、アームの先端に設けられた駒部５０ｂとを有している。そして、ライトプロテクト操作部４０は、蓋本体３８に形成された開口部内に位置し、アーム５０ａの基端のみが蓋本体に接続されている。これにより、ライトプロテクト操作部５０の駒部５０ｂは、アーム５０ａの基端を中心として、書き込み許容位置と書き込み禁止位置（ライトプロテクト位置）との間を回動可能となっている。
【００３６】
蓋部材３４を閉じた状態において、駒部５０ｂはケース１２に形成された操作孔８と対向して位置する。それにより、操作孔８を介してライトプロテクト操作部５０を切り換えることができる。
【００３７】
図５は、図１に示される２層光ディスクのＲＡＭ層のレイアウトを説明する図である。
すなわち、ディスク内周側のリードイン・エリア２７は、光反射面が凹凸形状をしたエンボスゾーン、表面が平坦（鏡面）なミラーゾーンおよび書替可能ゾーンで構成される。エンボスゾーンは基準信号ゾーンおよび制御データゾーンを含み、ミラーゾーンは接続ゾーンを含む。
【００３８】
書替可能ゾーンは、ディスクテストゾーンと、ドライブテストゾーンと、ディスクＩＤ（識別子）ゾーンと、欠陥管理エリアＤＭＡ１およびＤＭＡ２を含んでいる。
【００３９】
ディスク外周側のリードアウト・エリア２６は、欠陥管理エリアＤＭＡ３およびＤＭＡ４と、ディスクＩＤ（識別子）ゾーンと、ドライブテストゾーンと、ディスクテストゾーンを含む書替可能ゾーンで構成される。
【００４０】
リードイン・エリア２７とリードアウト・エリア２６との間のデータエリア２８は、２４個の年輪状のゾーン００〜ゾーン２３に分割されている。各ゾーンは一定の回転速度を持っているが、異なるゾーン間では回転速度が異なる。また、各ゾーンを構成するセクタ数も、ゾーン毎に異なる。具体的には、ディスク内周側のゾーン（ゾーン００等）は回転速度が早く構成セクタ数は少ない。一方、ディスク外周側のゾーン（ゾーン２３等）は回転速度が遅く構成セクタ数が多い。このようなレイアウトによって、各ゾーン内ではＣＡＶのような高速アクセス性を実現し、ゾーン全体でみればＣＬＶのような高密度記録性を実現している。
【００４１】
図６は、図５のレイアウトにおけるリードイン・エリアおよびリードアウト・エリアの詳細を説明する図である。
書換不能のエンボス・データ・ゾーンに属するリード・インの開始位置には、ブランク・ゾーンが設けられ、このブランク・ゾーンには、ブランクを意味する全て００ｈがセットされている。このエンボス・データ・ゾーンに続いて基準信号ゾーンが設けられ、基準信号ゾーンには、エンボス・基準コードが記録されている。エンボス・基準コードは、予め定められた変換テーブル中のコード・ワードが繰り返しされている。この所定のコード・ワードが正しく読み出されるように、換言すれば、所定のエラー率の範囲内で読み出されるように装置が設定される。この基準信号ゾーンに続いてまたブランク・ゾーンが設けられている。
【００４２】
エンボス・データ・ゾーンの制御データゾーンには、適用されるＤＶＤ規格のタイプ（ＤＶＤ−ＲＯＭ・ＤＶＤ−ＲＡＭ・ＤＶＤ−Ｒ等）およびパートバージョンと、ディスクサイズおよび最小読出レートと、ディスク構造（１層ＲＯＭディスク・１層ＲＡＭディスク・２層ＲＯＭ／ＲＡＭディスク等）と、記録密度と、データエリアアロケーションと、バーストカッティングエリアの記述子と、記録時の露光量指定のための線速度条件と、読出パワーと、ピークパワーと、バイアスパワーと、媒体の製造に関する情報が記録されている。
【００４３】
別の言い方をすると、この制御データゾーンには、記録開始・記録終了位置を示す物理セクタ番号などの情報記憶媒体全体に関する情報と、記録パワー、記録パルス幅、消去パワー、再生パワー、記録・消去時の線速などの情報と、記録・再生・消去特性に関する情報と、個々のディスクの製造番号など情報記憶媒体の製造に関する情報等が事前に記録されている。この制御データゾーンに続いて、また、ブランク・ゾーンが設けられている。
【００４４】
ミラー・ゾーンには、接続ゾーンが設けられている。この接続ゾーンは、エンボス・データ・ゾーンと書換可能データゾーンとの接続の為に設けられ、グルーブもエンボス・マークも設けられていない。
【００４５】
リードイン・エリア２７およびリードアウト・エリア２６の書替可能データゾーンには、各々の媒体ごとの固有ディスク名記録領域と、試し記録領域（記録消去条件の確認用）と、データエリア内の欠陥領域に関する管理情報記録領域が設けられている。これらの領域を利用することで、個々のディスクに対して最適な記録が可能となる。
【００４６】
書換可能データ・ゾーンの先頭には、ガード・トラック・ゾーンが位置している。このガード・トラック・ゾーンは、グルーブ、ランド、ヘッド・フィールド及び記録フィールドを含んでいる。但し、記録フィールドには、データは、記録されていない。ガード・トラック・ゾーンに続いてディスク・テスト・ゾーンが設けられている。このディスク・テスト・ゾーンは、ディスク製造者による品質検査の為に設けられている領域であって、グルーブ、ランド、ヘッド・フィールド及び記録フィールドを含んでいる。このディスク・テスト・ゾーンに続くドライブ・テスト・ゾーンは、ドライブ、即ち、記録装置によるテスト為に設けられ、同様にグルーブ、ランド、ヘッド・フィールド及び記録フィールドを含んでいる。
【００４７】
ドライブ・テスト・ゾーンに続くディスク識別ゾーンは、同様にグルーブ、ランド、ヘッド・フィールド及び記録フィールドを含んでいる。この領域には、記録可（Ｗ／Ｐ：ＯＮ）或い記録不可（Ｗ／Ｐ：ＯＦＦ）のコマンドがユーザによって記録することが許されている。例えば、記録可（Ｗ／Ｐ：ＯＮ）のコマンドとして“１０ｈ”が記録され、記録不可（Ｗ／Ｐ：ＯＦＦ）のコマンドとして“００ｈ”が記録される。当然のことながら、ユーザがこのコマンドの書き込みをする場合には、リードイン・エリア２７およびリードアウト・エリア２６における両書替可能データゾーンのディスク識別ゾーンに記録可（Ｗ／Ｐ：ＯＮ）のコマンド、或いは、記録不可（Ｗ／Ｐ：ＯＦＦ）のコマンドのいずれかが書き込まれる。
【００４８】
既に説明したようにディスクカートリッジ１１には、ライトプロテクト操作部５０が設けられ、ＤＶＤディスク１０にデータが記録可能（Ｗ／Ｐ：ＯＮ）であるか、或いは、記録不可（Ｗ／Ｐ：ＯＦＦ）であるかがこのライトプロテクト操作部５０によって判明する。ＤＶＤディスク１０がディスクカートリッジ１１から取り出された際には、ユーザは、ＤＶＤディスク１０のディスク識別ゾーンの記述によって記録可（Ｗ／Ｐ：ＯＮ）或い記録不可（Ｗ／Ｐ：ＯＦＦ）によってデータの書き込みが可能か否かを判断することとなる。ＤＶＤディスク１０がディスクカートリッジ１１に収納されている場合には、ライトプロテクト操作部５０及びディスク識別ゾーンの両者が記録可（Ｗ／Ｐ：ＯＮ）及び記録不可（Ｗ／Ｐ：ＯＦＦ）のいずれかに一致していれば、当然にその一致している記録可（Ｗ／Ｐ：ＯＮ）及び記録不可（Ｗ／Ｐ：ＯＦＦ）の状態にＤＶＤディスク１０があることが判明する。これに対して、ライトプロテクト操作部５０及びディスク識別ゾーンの両者が記録可（Ｗ／Ｐ：ＯＮ）及び記録不可（Ｗ／Ｐ：ＯＦＦ）のいずれかに一致していない場合には、ＤＶＤディスク１０が記録可（Ｗ／Ｐ：ＯＮ）及び記録不可（Ｗ／Ｐ：ＯＦＦ）のいずれの状態にあるかは、ユーザの判断に委ねられることとなる。通常、ライトプロテクト操作部５０及びディスク識別ゾーンの一方が記録不可（Ｗ／Ｐ：ＯＦＦ）であれば、ＤＶＤディスク１０が記録不可（Ｗ／Ｐ：ＯＦＦ）である可能性が十分にあることから、ユーザは、そのＤＶＤディスク１０は、記録不可（Ｗ／Ｐ：ＯＦＦ）であるとしてそのデータの内容を確認することとなる。データの確認を終えた後、ライトプロテクト操作部５０及びディスク識別ゾーンの両者を記録可（Ｗ／Ｐ：ＯＮ）及び記録不可（Ｗ／Ｐ：ＯＦＦ）のいずれの状態に一致させることとなる。いずれにしても、ライトプロテクト操作部５０及びディスク識別ゾーンを利用してＤＶＤディスク１０が記録可（Ｗ／Ｐ：ＯＮ）及び記録不可（Ｗ／Ｐ：ＯＦＦ）の状態にあるかを判断可能であるのでよりディスク１０の書き込みに関する安全度が向上される。
【００４９】
図６に示すようにリードイン・エリア２７の書換可能データ・ゾーンは、欠陥管理エリアＤＭＡ１およびＤＭＡ２を含み、同様にリードアウト・エリア２６は、同様の欠陥管理エリアＤＭＡ３およびＤＭＡ４を含んでいる。
【００５０】
ディスク識別ゾーンに続いて欠陥管理エリア（ＤＭＡ１〜ＤＭＡ４）が設けられている。この管理エリア（ＤＭＡ１〜ＤＭＡ４）はデータエリアの構成および欠陥管理の情報を含むもので、たとえば３２セクタで構成される。各欠陥管理エリア（ＤＭＡ１〜ＤＭＡ４）の後には、適宜予備のセクタ（スペアセクタ）が付加されている。各欠陥管理エリア（ＤＭＡ１〜ＤＭＡ４）は、２つのＥＣＣブロックからなる。各欠陥管理エリア（ＤＭＡ１〜ＤＭＡ４）の最初のＥＣＣブロックには、ディスク１０の定義情報構造（ＤＤＳ；  Ｄｉｓｃ  Ｄｅｆｉｎｉｔｉｏｎ  Ｓｔｒｕｃｔｕｒｅ）および一次欠陥リスト（ＰＤＬ；  ＰｒｉｍａｒｙＤｅｆｅｃｔ  Ｌｉｓｔ）が含まれる。各欠陥管理エリア（ＤＭＡ１〜ＤＭＡ４）の２番目のＥＣＣブロックには、二次欠陥リスト（ＳＤＬ；  Ｓｅｃｏｎｄａｒｙ  Ｄｅｆｅｃｔ  Ｌｉｓｔ）が含まれる。４つの欠陥管理エリア（ＤＭＡ１〜ＤＭＡ４）の４つの一次欠陥リスト（ＰＤＬ）は同一内容となっており、それらの４つの二次欠陥リスト（ＳＤＬ）も同一内容となっている。
【００５１】
この欠陥管理エリア（ＤＭＡ１〜ＤＭＡ４）には、欠陥情報に関しての物理アドレスが記載され、この欠陥に関する物理アドレスを参照してデータの記録が実行され、また、データが再生される。
【００５２】
欠陥管理エリア（ＤＭＡ１〜ＤＭＡ４）に続いて、換言すれば、リードイン・エリア２７とリードアウト・エリアの間には、データが記録されるデータ領域２８が設けられている。このデータエリア２８は、半径方向に複数（１８８８）のトラックからなる複数たとえば２４のゾーンにより構成されている。また、各ゾーンごとに、ゾーン番号、１トラック（１周あたり）のセクタ数、スタートセクタ番号（ヘキサ）、内周側のガードエリアのセクタ番号（ヘキサ）、グループ番号、ユーザエリアのセクタ番号（ヘキサ）とＥＣＣブロック数、スペアエリアのセクタ番号（ヘキサ）とセクタ数、外周側のガードエリアのセクタ番号（ヘキサ）、エンドセクタ番号（ヘキサ）、グループのスタートセクタ番号、グループのスタートセクタ番号（ヘキサ）が記録されている。
【００５３】
次に図７を参照して上述したＤＶＤディスクへのデータの記録及びＤＶＤディスクからデータを再生するＤＶＤディスク装置の一例について説明する。
図７に示されたＤＶＤディスク装置は、ＤＶＤディスクのみならずＣＤディスクからもデータの読み出しが可能で、書換可能なＤＶＤディスクに対してデータの書き込みが可能な装置として構成されている。従って、光ピック・アップ６０は、ＤＶＤ用の対物レンズ６２及びＣＤ用の対物レンズ６４を有している。光ピック・アップ６０内には、ＤＶＤ用の対物レンズ６２及びＣＤ用の対物レンズ６４に対応してＤＶＤ用及びＣＤ用の半導体レーザ・ユニット（図示せず）が設けられ、装填された光ディスク１０がＤＶＤディスク或いはＣＤディスクかに応じてこの半導体レーザ・ユニットの一方が選択され、レーザ制御ユニット６６によって附勢され、それぞれ対応する波長のレーザ・ビームを発生する。ＤＶＤ用及びＣＤ用の半導体レーザ・ユニットのいずれかが選択されて附勢されると、光ディスク１０に対応するレーザ・ビームが対応する対物レンズ６２、６４に向けられ、この対物レンズ６２、６４によって光ディスク１０に収束される。この収束されたレーザ・ビームで光ディスク１０にデータが書き込まれ、或いは、再生される。
【００５４】
レーザ制御ユニット６６は、ＤＶＤデータ処理ユニット８０によってその設定がセットされるが、その設定は、再生信号を得る再生モード、データを記録する記録モード及びデータを消去する消去モード並びにＤＶＤディスクに対するデータ処理を実行するＤＶＤモード及びＣＤディスクに対するデータ処理を実行するＣＤモードで異なっている。即ち、ＤＶＤモードでは、ＤＶＤ用の半導体レーザ・ユニットが選択されて附勢され、また、ＣＤモードでは、ＣＤ用の半導体レーザ・ユニットが選択されて附勢される。ＤＶＤ用或いはＣＤ用のレーザ・ビームは、再生モード、記録モード及び消去モードの３つのモードでそれぞれ異なるレベルのパワーを有し、そのモードに対応したパワーのレーザビームが発生されるように半導体レーザ・ユニットがレーザ制御ユニット６６によって附勢される。
【００５５】
ＤＶＤ用の対物レンズ６２及びＣＤ用の対物レンズ６４に対向してＤＶＤディスク１０或いはＣＤディスクが配置されるように、このＤＶＤディスク或いはＣＤディスクは、直接或いはディスク・カートリッジ１１に収納されてトレー７０によって装置内に搬送される。このトレー７０を駆動する為のトレーモータ７２が装置内に設けられている。また、装填されたＤＶＤディスク１０或いはＣＤディスクは、スタンパ７４によって回転可能にスピンドル・モータ７５上に保持され、このスピンドル・モータ７５によって回転される。ピックアップ・ヘッド６０は、送りモータ７６によって駆動される送り機構（図示せず）上に載置され、この送り機構によって光ディスク１０の半径方向に移動される。トレー７０の下方には、ライトプロテクト検出部７１が設けられ、このライトプロテクト検出部７１によってディスク・カートリッジ１１が書き込み可或いは書き込み不可に設定されているかを検出することができる。
【００５６】
ピックアップ・ヘッド６０は、その内にレーザビームを検出する検出器（図示せず）を有している。この光検出器は、光ディスク１０で反射されて対物レンズ６２、６４を介して戻されたレーザ・ビームを検出している。検出器からの検出信号（電流信号）は、電流／電圧変換器７７で電圧信号に変換され、この信号は、リファレンス・アンプ７８及びサーボ・アンプ７９に供給される。リファレンス・アンプ７８からは、加算信号としての再生信号がＤＶＤデータ処理ユニット８０に出力される。サーボ・アンプ７９からのサーボ信号は、ＤＶＤモードでは、ＤＶＤサーボ・シーク制御ユニット８２に出力され、ＣＤモードでは、ＣＤサーボ・シーク制御並びにＣＤデータ処理ユニットに出力される。
【００５７】
ＤＶＤモードでは、ＤＶＤサーボ・シーク制御ユニット８２からフォーカス信号、トラッキング信号及び送り信号がフォーカス及びトラッキング・アクチュエータ・ドライバ並びに送りモータドライバ８４に送られ、このドライバ８４によって対物レンズ６２、６４がフォーカス・サーボ制御され、また、トラッキング・サーボ制御される。更に、アクセス信号に応じてドライバ８４から附勢信号が送りモータ７６に供給されピックアップ・ヘッド６０が搬送制御される。このＤＶＤサーボ・シーク制御ユニット８２は、ＤＶＤデータ処理ユニット８２によって制御される。例えば、ＤＶＤデータ処理ユニット８２からアクセス信号がＤＶＤサーボ・シーク制御ユニット８２に供給されて送り信号が生成される。また、ＤＶＤデータ処理ユニット８２からの制御信号でスピンドル・モータ・ドライバ８５及びトレー・モータ・ドライバ８６が制御され、スピンドルモータ７５及びトレー・モータ７２が附勢され、スピンドル・モータが所定回転数で回転され、トレーモータがトレーを適切に制御することとなる。ＤＶＤデータ処理ユニット８０に供給された再生信号は、ＲＡＭ８７に必要なデータが格納され、再生信号がこのＤＶＤデータ処理ユニット８０で処理されてバッファとしてのＲＡＭ８９を有するＳＣＳＩインタフェース制御部並びにＣＤ−ＲＯＭデコーダ８８に供給され、ＳＣＳＩを介して他の装置、例えば、パーソナル・コンピュータに再生処理信号が供給される。
【００５８】
ＣＤモードでは、ＣＤサーボ・シーク制御並びにＣＤデータ処理ユニット８３からフォーカス信号、トラッキング信号及び送り信号がフォーカス及びトラッキング・アクチュエータ・ドライバ並びに送りモータドライバ８４に送られ、このドライバ８４によって対物レンズ６２、６４がフォーカス・サーボ制御され、また、トラッキング・サーボ制御される。更に、アクセス信号に応じてドライバ８４から附勢信号が送りモータ７６に供給されピックアップ・ヘッド６０が搬送制御される。このＣＤサーボ・シーク制御並びにＣＤデータ処理ユニット８３からの制御信号でスピンドル・モータ・ドライバ８５及びトレー・モータ・ドライバ８６が制御され、スピンドルモータ７５が附勢され、スピンドル・モータが所定回転数で回転されることとなる。ＣＤデータ処理ユニット８３に供給された再生信号は、この処理ユニット８３で処理されてＣＤデータ出力アンプ９０を介して出力される。
【００５９】
図７に示す各部は、ＲＯＭ９１に格納された手順に従って、ＣＰＵ９２によって制御される。
次に、書換可能なＤＶＤディスクが装填されてからデータの記録開始までの動作を説明する。ここで、ＤＶＤディスク１０は、ディスク・カートリッジ１１に収納されているものとする。
【００６０】
ディスク・カートリッジ１１がトレー７０に載置されて図示しない入力手段、キーボード等でその装置内への格納を指示すると、ディスク・カートリッジ１１は、装置内に格納され、そのシャッタ２２が開かれ、ＤＶＤディスク１０が露出され、スタンパ７４によって保持される。スタンパによってＤＶＤディスク１０保持されると、ＤＶＤデータ処理ユニット８０からの指令でスピンドル・モータ・ドライバ８５が附勢されたスピンドル・モータ７５が作動される。その結果、ＤＶＤディスク１０が回転を開始する。このディスクの装填時にディスク・カートリッジ１１のライトプロテクト操作部５０がライトプロテクト検出部７１によって検出され、そのディスク・カートリッジ１１内のＤＶＤディスクが記録可のディスクか或いは、記録不可かが確認される。この記録可、或いは、記録不可の識別コード・データは、ディスク・カートリッジの書替情報としてＲＡＭ９４に格納される。
【００６１】
ＤＶＤデータ処理ユニット８０は、レーザ制御ユニット６６をＤＶＤモードにセットし、しかも、再生モードにセットしてピック・アップ・ヘッド６０内の半導体レーザ・ユニットからＤＶＤ用の波長を有する再生用レーザ・ビームを発生させる。また、ＤＶＤデータ処理ユニット８０は、ＤＶＤサーボ・シーク制御ユニット８２に対してピックアップの送りを開始する指令を与え、このＤＶＤサーボ・シーク制御ユニット８２は、この指令に基づいてドライバ８４を附勢させて送りモータ７６を作動させる。その結果、送りもモータが作動してホーム・ポジションに位置されているピック・アップ・ヘッド６０がリードイン・エリア２７に移動され、リードイン・エリア２７が再生用レーザ・ビームで検索される。このリードイン・エリア２７の検索中において、検出器７９からの信号は、ＲＦアンプ７８及びサーボアンプ７９に供給され、ＲＦアンプ７８からの出力は、ＤＶＤデータ処理ユニットで８０で処理されて再生信号としてユニット８８及びＳＣＳＩを介して外部装置例えば、パーソナル・コンピュータに供給される。サーボアンプ７９からの出力は、ＤＶＤサーボ・シーク制御ユニット８２でフォーカス信号及びトラッキング信号に変換されてドライバ８４に供給され、このドライバ８４からの信号で対物レンズ６２にフォーカス・サーボ並びにトラッキング・サーボが与えられて対物レンズ６２は、フォーカス並びにトラッキング状態に維持されてレーザ・ビームでトラッキング・ガイド内のデータが読み出される。
【００６２】
データの読み出しに際しては、図６に示すブランクゾーンであることが確認され、ブランクゾーンに続く基準信号ゾーンの基準信号によってエラー率が所定範囲内に入るようにＤＶＤデータ処理ユニット８０がセットされる。更に、基準信号ゾーンに続くブランクゾーンが確認され、ブランクゾーンに続く制御データゾーンを読み出してその制御データに従って装置の各部がセットされる。更に、制御データゾーンに続くブランクゾーンが確認され、ブランクゾーンに続く接続ゾーンを読みだしてエンボス・データ・ゾーンの読み込みが終了したことが確認される。その後、書替可能データゾーンのドガード・トラック・ゾーン、ディスク・テスト・ゾーンが確認されて、ドライブ・テスト・ゾーンで当該装置で読み書き可能かがテストされる。ドライブ・テスト・ゾーンに続くガード・トラック・ゾーンが確認され、ディスク識別子ゾーンが読み込まれる。ディスク１０のイニシャル時には、このディスク識別子ゾーンに記録可（Ｗ／Ｐ：ＯＮ）が書き込まれる。また、ディスク１０のイニシャル後においては、このディスク識別子ゾーンの記録可（Ｗ／Ｐ：ＯＮ）或いは記録不可（Ｗ／Ｐ：ＯＦＦ）の識別コード・データが読み出され、ディスクの書替情報としてＲＡＭ９４に格納される。
【００６３】
その後、欠陥管理エリア（ＤＭＡ１＆ＤＭＡ２）が読み込まれてＲＡＭ９４に格納され、当該ディスク１０の欠陥領域が特定される。この処理の後、再生モードであれば、データ領域からデータが読み出され、記録モードにおいては、データ領域の所定の領域にデータが書き込まれる。データ再生後、或いは、データ記録後、ユーザに対して当該ディスクへのデータの記録を許すか否かの問い合わせが表示装置を用いてなされる。ユーザが当該ディスクへのデータの記録を許すことを希望する場合には、記録可（Ｗ／Ｐ：ＯＮ）の識別コード・データがリードイン・エリア及びリードアウト・エリア２６のディスク識別子ゾーンに書き込まれる。同様に、ユーザが当該ディスクへのデータの記録を禁止ことを希望する場合には、記録不可（Ｗ／Ｐ：ＯＦＦ）の識別コード・データがリードイン・エリア及びリードアウト・エリア２６のディスク識別子ゾーンに書き込まれる。
【００６４】
記録モードにおいて、ユーザが外部からデータの記録の指示をした場合には、ＲＡＭ９４に格納され記録可或いは不可の２つの識別コード・データが参照される。２つの識別コード・データの内いずれかに記録不可の識別コード・データが設定されている場合には、その記録不可の識別コード・データを参照してその旨を表示部（図示せず）に表示してユーザに書き込み不可である旨を知らせる。また、ユーザが記録モードを設定してもＣＰＵは、その記録モードの設定を無効にする処理をすることとなる。この場合、ディスクカートリッジ１１は、記録不可（Ｗ／Ｐ：ＯＦＦ）、ディスク識別子ゾーンは、記録可（Ｗ／Ｐ：ＯＮ）並びにディスクカートリッジ１１は、記録可（Ｗ／Ｐ：ＯＮ）並びにディスク識別子ゾーンは、記録不可（Ｗ／Ｐ：ＯＦＦ）、或いは、ディスクカートリッジ１１は、記録不可（Ｗ／Ｐ：ＯＦＦ）並びにディスク識別子ゾーンは、記録不可（Ｗ／Ｐ：ＯＦＦ）と表示してユーザに対して光ディスクに関しての状態を問い合わせるようにしても良い。ユーザは、この光ディスクに関しての状態を参照して再生モードとするか或いは記録モードとするか決定することとなる。ディスク識別子が記録不可（Ｗ／Ｐ：ＯＦＦ）の場合には、ディスク識別子を記録可（Ｗ／Ｐ：ＯＮ）に書き替えない限り、ＣＰＵは、原則としてその記録モードの設定を無効にする処理をすることとなる。従って、ユーザは、ディスク識別子が記録不可（Ｗ／Ｐ：ＯＦＦ）であることを認識した場合には、ディスク識別子ゾーンに記録可（Ｗ／Ｐ：ＯＮ）の書き込み処理をした後、再度、装置を記録モードに設定することが要求される。
【００６５】
上述した動作の説明は、ＤＶＤディスク１０がディスク・カートリッジ１１に収納されているものとしているが、ディスク・カートリッジ１１からＤＶＤディスク１０が取り出されたり、或いは、ＤＶＤディスク１０のみをユーザが受け取ってそのＤＶＤディスク１０のみを装置に装填した状態では、ディスク・カートリッジ１１に関する表示がなされず、単に、ディスク識別子ゾーンの記録不可（Ｗ／Ｐ：ＯＦＦ）或いは記録可（Ｗ／Ｐ：ＯＮ）のみが表示される。この表示に基づいてユーザは、再生モードとするか或いは記録モードとするかを決定することとなる。
【００６６】
【発明の効果】
以上のようにＤＶＤディスク１０のリードイン・エリア及びリードアウト・エリアにディスク識別子ゾーンが設けられ、ディスク識別子ゾーンに記録不可（Ｗ／Ｐ：ＯＦＦ）或いは記録可（Ｗ／Ｐ：ＯＮ）の識別コード・データを記録することができ、この識別コード・データでＤＶＤディスク１０に記録可能か否かをユーザが確認することができる。従って、ＤＶＤディスク１０自体がディスク・カートリッジ１１から取り出されても、また、ディスク・カートリッジ１１とは別体でＤＶＤディスク１０が販売され、取り扱われても、それ自体で記録可能か否かをユーザが確認することができる。
【図面の簡単な説明】
【図１】この発明の一実施例に係るＤＶＤディスクを概略的に示す斜視図である。
【図２】図１に示されたＤＶＤディスクのフォーマット構造を示す平面図である。
【図３】図２に示されたディスク・カートリッジを示す斜視図である。
【図４】図３に示されたディスク・カートリッジにおいて、その内のディスクを取り出すための蓋部材を開いた状態を示す斜視図である。
【図５】図２に示されたＤＶＤーＲＡＭディスクのレイアウトを示す配置図である。
【図６】図１、図２及び図５に示されたリードイン・エリアのフォーマットを示す配置図である。
【図７】図１、図２及び図５に示すＤＶＤーＲＡＭディスクからデータを再生し、このディスクにデータを記録する再生記録用ＤＶＤディスク装置を示すブロック図である。
【符号の説明】
１０…光ディスク
１１…カートリッジ
１２…ケース
１６…記録層
１７…窓部
２２…シャッタ
２５…情報エリア
２８…データ記録エリア
３０…ディスク出し入れ口
３４…蓋部材
４０…フランジ
４６…ロック爪
４７…係止口
５０…ライトプロテクト操作部
６２、６４…対物レンズ
６６…レーザ制御ユニット
６０…ピックアップ・ヘッド
７０…トレー
７６…送りモータ
７７…電流／電圧変換器
８０…ＤＶＤデータ処理ユニット
８３…ＣＤデータ処理ユニット
８８…ＣＤ−ＲＯＭデコーダ
９２…ＣＰＵ
【図１】
0004057693.tif 000002
【図２】
0004057693.tif 000003
【図３】
0004057693.tif 000004
【図４】
0004057693.tif 000005
【図５】
0004057693.tif 000006
【図６】
0004057693.tif 000007
【図７】
0004057693.tif 000008